(57)【要約】【課題】リモートコントローラのみがリセットされた場合に、リモートコントローラの運転設定内容を換気扇本体の運転状態に一致させ、リセット後の運転内容の再設定を行わずとも換気扇本体の運転状態の維持を図り、利便性の向上を図る換気扇の制御方法及び換気扇を提供する。【解決手段】リモートコントローラ制御回路３ａがリセットした場合に、リモートコントローラ制御回路３ａから換気扇制御回路２ｂへ、換気扇本体２の運転状態を示すコードの送信を要求し、換気扇制御回路２ｂはリモートコントローラ制御回路３ａへ、換気扇本体２の運転状態を示すコードを送信し、リモートコントローラ制御回路３ａは、運転内容の設定を換気扇制御回路２ｂから送信された運転状態に書き換える。【選択図】図３
2011069544.tif 000002
【特許請求の範囲】
【請求項１】
換気扇本体と、
操作部を備え、前記換気扇本体の運転内容を設定するリモートコントローラと、
前記換気扇本体に設けられ、前記リモートコントローラとの間でデータを送受信するとともに換気扇本体の運転を制御する換気扇制御回路と、
前記リモートコントローラに設けられ、前記換気扇制御回路との間でデータを送受信するとともに、前記運転内容の設定を記憶し、記憶された運転内容を前記換気扇制御回路に指示するリモートコントローラ制御回路と、
を備える換気扇を制御する制御方法であって、
前記換気扇制御回路において前記換気扇本体の運転状態を示すコードを記憶するステップと、
前記リモートコントローラ制御回路がリセットした場合に、前記リモートコントローラ制御回路から前記換気扇制御回路に対して、前記換気扇本体の運転状態を示すコードの送信を要求するステップと、
前記換気扇制御回路が、前記リモートコントローラ制御回路からの前記コード要求に基づいて記憶されている前記運転状態を示すコードを送信するステップと、
前記リモートコントローラ制御回路が、運転内容の設定を前記運転状態コードに基づいて書き換えるステップと、
を備えていることを特徴とする換気扇の制御方法。
【請求項２】
換気扇本体と、
操作部を備え、換気扇本体の運転内容を設定するリモートコントローラと、
前記換気扇本体に設けられ、前記リモートコントローラとの間でデータを送受信するとともに換気扇本体の運転を制御する換気扇制御回路と、
前記リモートコントローラに設けられ、前記換気扇制御回路との間でデータを送受信するとともに、前記運転内容の設定を記憶し、記憶された運転内容の設定を前記換気扇制御回路に指示するリモートコントローラ制御回路と、
前記リモートコントローラに設けられ、前記リモートコントローラ制御回路をリセットするリモートコントローラリセット回路とを備え、
前記リモートコントローラ制御回路は、前記リモートコントローラリセット回路によってリセットされると、前記換気扇制御回路から前記換気扇本体の運転状態に関する情報を入手して、この運転状態に対応した運転内容の設定を記憶することを特徴とする換気扇。
【請求項３】
前記リモートコントローラは、さらに前記運転内容の設定を表示する表示部を備えたことを特徴とする請求項２に記載の換気扇。
【発明の詳細な説明】
【技術分野】
【０００１】
本発明は、換気扇本体とその換気扇本体を運転制御するリモートコントローラとからなる換気扇の制御方法及び換気扇に関する。
【背景技術】
【０００２】
従来、換気扇本体とこの換気扇本体の運転内容を設定するリモートコントローラとから構成される換気扇がある。リモートコントローラには、電源線等によって直接換気扇本体と接続されているワイヤードリモコンのタイプ、或いは、赤外線等を用いて運転制御に必要な信号を無線送受信し、直接は換気扇本体と接続されていないワイヤレスのタイプがある。換気扇本体はリモートコントローラに設けられた操作部によって設定された運転内容に制御される。
【０００３】
ワイヤードリモコンのタイプの換気扇においては、換気扇本体とリモートコントローラとの間で有線で信号の送受信が行われるとともに換気扇本体の電源回路から電力が供給される。換気扇本体とリモートコントローラにはそれぞれにマイクロコンピュータ等を用いた制御回路が設けられる。このため、本体、或いは、リモートコントローラの一方または双方ともがリセットされてしまう場合がある。例えば、換気扇本体へ供給される電源が切断された場合、リモートコントローラに設けられているリセットボタンが押し下げられた場合、制御回路にノイズが入った場合等である。
【０００４】
換気扇本体、或いは、リモートコントローラの一方または双方がリセットされた場合、換気扇本体の運転状態とリモートコントローラに設定された運転内容に差異が生じてしまう不都合が生ずる。また、リモートコントローラに設定された運転内容を表示する表示器が設けられている場合には、換気扇本体の運転状態とリモートコントローラに設定された（表示器に示された）運転内容とが不一致になると使用者は混乱してしまう。
【０００５】
そこで、これまでも、例えば、換気扇本体のみがリセットされた場合には、リモートコントローラの制御回路に記憶されているこれまでの運転内容に従って換気扇本体の運転が再開される制御方法が用いられたりしている。
【０００６】
以下の特許文献１には、リモートコントローラのみがリセットされた場合について、リモートコントローラのリセットとともに、換気扇本体に設けられた制御回路も同時にリセットされる、とする発明が開示されている。この発明によって、換気扇本体の運転状態とリモートコントローラの運転設定内容に差異が生じないようにしている。
【先行技術文献】
【特許文献】
【０００７】
【特許文献１】実開平６−４８２９１号公報
【発明の概要】
【発明が解決しようとする課題】
【０００８】
しかしながら、上述の特許文献１に開示されている発明では、リモートコントローラのリセットとともに換気扇本体もリセットされてしまう。従って、換気扇本体の運転状態にかかわらず、リモートコントローラのリセットに伴って換気扇本体の運転状態も必ず初期値（リセット）になってしまう。これでは、これまでの換気扇本体の運転状態が維持されず、リモートコントローラのリセット後は、改めて換気扇本体の運転状態を設定し直さなければならない。
【０００９】
近年、住宅内の換気扇の使用方法は、常時換気が主体となってきている。このため、使用者としては一度設定した運転内容を、長期にわたって継続して使用することの要望が強く、予期せぬリセットに対しては、リセット後もできる限りそれまでの運転状態が維持できることが望まれる。
【００１０】
本発明は上記課題を解決するためになされたものであり、本発明の目的は、リモートコントローラのみがリセットされた場合に、リモートコントローラの運転設定内容を換気扇本体の運転状態に一致させ、リセット後の運転内容の再設定を行わずとも換気扇本体の運転状態の維持を図り、利便性の向上を図ることのできる換気扇の制御方法及び換気扇を提供することである。
【課題を解決するための手段】
【００１１】
本発明の実施の形態に係る第１の特徴は、換気扇本体と、操作部を備え、換気扇本体の運転内容を設定するリモートコントローラと、換気扇本体に設けられ、リモートコントローラとの間でデータを送受信するとともに換気扇本体の運転を制御する換気扇制御回路と、リモートコントローラに設けられ、換気扇制御回路との間でデータを送受信するとともに、運転内容の設定を記憶し、記憶された運転内容の設定を換気扇制御回路に指示するリモートコントローラ制御回路と、を備える換気扇を制御する制御方法であって、換気扇制御回路において換気扇本体の運転状態を示すコードを記憶するステップと、リモートコントローラ制御回路がリセットした場合に、リモートコントローラ制御回路から換気扇制御回路に対して、換気扇本体の運転状態を示すコードの送信を要求するステップと、換気扇制御回路が、リモートコントローラ制御回路からのコード要求に基づいて記憶されている運転状態を示すコードを送信するステップと、リモートコントローラ制御回路が、運転内容の設定を運転状態コードに基づいて書き換えるステップとを備えている。
【００１２】
本発明の実施の形態に係る第２の特徴は、換気扇本体と、操作部を備え、換気扇本体の運転内容を設定するリモートコントローラと、換気扇本体に設けられ、リモートコントローラとの間でデータを送受信するとともに換気扇本体の運転を制御する換気扇制御回路と、リモートコントローラに設けられ、換気扇制御回路との間でデータを送受信するとともに、運転内容の設定を記憶し、記憶された運転内容の設定を換気扇制御回路に指示するリモートコントローラ制御回路と、リモートコントローラに設けられ、リモートコントローラ制御回路をリセットするリモートコントローラリセット回路とを備え、リモートコントローラ制御回路は、リモートコントローラリセット回路によってリセットされると、換気扇制御回路から換気扇本体の運転状態に関する情報を入手して、この運転状態に対応した運転内容の設定を記憶する。
【発明の効果】
【００１３】
本発明によれば、リモートコントローラのみがリセットされた場合に、リモートコントローラの運転設定内容を換気扇本体の運転状態に一致させ、リセット後の運転内容の再設定を行わずとも換気扇本体の運転状態の維持を図り、利便性の向上を図ることのできる換気扇の制御方法及び換気扇を提供することができる。
【図面の簡単な説明】
【００１４】
【図１】本発明の実施の形態における換気扇の全体を示す全体図である。
【図２】本発明の実施の形態における換気扇の全体の回路構成を示す全体図である。
【図３】本発明の実施の形態においてリモートコントローラのみがリセットされた場合の換気扇の制御の流れを示すでフローチャートある。
【図４】本発明の実施の形態において換気扇本体及びリモートコントローラがリセットされた場合の換気扇の制御の流れを示すでフローチャートある。
【発明を実施するための形態】
【００１５】
以下、本発明の実施の形態について図面を参照して詳細に説明する。
【００１６】
図１は、本発明の実施の形態における換気扇１の全体構成を示す全体図である。換気扇１は、換気扇本体２とこの換気扇本体２を運転制御するワイヤード式のリモートコントローラ３とから構成される。
【００１７】
換気扇本体２については、図１においては簡略化して示しているが、家庭用、或いは業務用を問わず、また、その形状も問わない。
【００１８】
リモートコントローラ３は、換気扇本体２の運転内容を使用者が設定・指示するために使用される。リモートコントローラ３は、室内壁面に固定され、図１に示すように、その表面に表示部３ｈである２つのＬＥＤと操作部３ｎとして機能する２つのボタンが設けられる。表示部３ｈの２つのＬＥＤは、風量の「標準(強)」と「弱」にそれぞれの対応して点灯し、停止時には両方が消灯する。操作部３ｎの２つのボタンは、一方が風量設定ボタンで、運転中にこのボタンを押す度に風量設定が「標準(強)」と「弱」に切り替わる。他方は運転／停止ボタンでこのボタンを押す度に換気扇本体が運転と停止に切り替わる。換気扇本体２とリモートコントローラ３は、詳細を後述する２本の直流低電圧の電源線４と通信線５で接続されている。なお、電力搬送に信号を重畳することで電源線４の１本を通信線５と共用し、２本の電線で接続することも可能である。
【００１９】
図２は、本実施形態における換気扇１の全体の回路構成を示す全体図である。換気扇本体２は、商用電源Ｐに接続され、電源の供給を受けている。直流電源２ａは商用電源Ｐに接続され、交流を直流に変換する。併せて、直流電源２ａは換気扇制御回路２ｂ等、図１においては図示しない換気扇本体２を構成するその他の機器に対して、各機器に適した電圧値をもって電源の供給をしている。
【００２０】
換気扇制御回路２ｂは、マイクロコンピュータ等からなり、後述するリモートコントローラ制御回路３ａと通信線５によって接続され、この線を介して相互にデータの送受信を行う。換気扇制御回路２ｂは、リモートコントローラ３から送信される運転指令に基づいて換気扇本体２を運転制御する。
【００２１】
換気扇制御回路２ｂ内には、記憶手段２ｃが設けられており、停止、「標準(強)」及び「弱」等の運転状態を常時記憶している。さらに電源が遮断された場合や、後述するリセットが生じた場合に用いられる初期値となる運転内容も記憶されている。すなわち、記憶手段２ｃでは、換気扇本体２が停止した場合に停止状態であることが記憶されるとともに、換気扇本体２の停止後、リモートコントローラ３からの指示に基づき再度運転が開始されると、その時の運転状態を記憶する。
【００２２】
この換気扇制御回路２ｂにはリセット回路２ｄが接続される。例えば、商用電源Ｐ電圧が低下し、換気扇制御回路２ｂを駆動する直流電源２ａの電源電圧が低下した場合や外部からのノイズによる換気扇制御回路２ｂ内のマイクロコンピュータの暴走が生じた場合に、リセット回路２ｄが動作することによって、換気扇制御回路２ｂがリセットされる。また記憶手段２ｃ内に記憶されている運転状態コードもリセットされ、初期値となる。換気扇１は、２４時間連続換気を前提としているため、通常、初期値は「標準」運転に対応した運転状態コードが設定される。
【００２３】
ファンモータ（ＦＭ）２ｅは、商用電源Ｐに接続され、換気扇本体２の主要部品であり、図示されていない換気用のファンを回転させる。ファンモータ２ｅの速度切り替え用の接続端子ＳＷ１及びＳＷ２にはリレースイッチＲＬが接続されており、リレースイッチＲＬを切り替えることで回転数（風量）を２段階（例えば、「標準」と「弱」）に切り換えることができる。
【００２４】
なお、接続端子ＳＷ１及びＳＷ２のいずれにも接続しない位置にリレースイッチＲＬのリレー接点を位置させることでファンモータ２ｅは停止となる。ファンモータ２ｅの駆動制御は、リレースイッチＲＬの切替も含めて、換気扇制御回路２ｂによって行われる。
【００２５】
図１及び図２に示すように、本発明の実施の形態の換気扇１におけるリモートコントローラ３は、換気扇本体２と直流電源２ａの出力である電源線４及び通信線５によって直接接続されるワイヤードリモートコントローラである。リモートコントローラ３のリモートコントローラ制御回路３ａと換気扇本体２の換気扇制御回路２ｂとは通信線５を介して互いに接続されている。図１に示す表示部３ｈ及び操作部３ｎも特に図示してはいないが、リモートコントローラ制御回路３ａに接続されている。
【００２６】
リモートコントローラ制御回路３ａは、換気扇制御回路２ｂと同様にマイクロコンピュータ等からなり、通信線５を介して換気扇本体２の換気扇制御回路２ｂに運転指令である設定運転内容データ等を送信し、換気扇本体２の運転制御を行う。リモートコントローラ制御回路３ａ内には、記憶手段３ｂが設けられており、その時点の運転(設定)状態、例えば、電源をＯＦＦし換気扇本体２を停止させた場合に、その状態（換気扇本体２の設定運転内容）を運転状態コードとして記憶する。使用者が運転中に「標準(強)」を設定した場合は、運転状態コードとして「標準(強)」を、使用者が「弱」を設定した場合は、運転状態コードとして「弱」を記憶する。
【００２７】
リモートコントローラ制御回路３ａにはリセット回路３ｃが接続されている。例えば、電源線４を介して供給されるリモートコントローラ制御回路３ａ用の直流電源２ａの電圧が低下した場合やノイズによって制御回路３ａ内のマイクロコンピュータの暴走が生じた場合に、リセット回路３ｃが動作することによって、リモートコントローラ制御回路３ａがリセットされる。リセット回路３ｃによってリセットされた場合には、記憶手段３ｂの運転状態の記憶部分には何も記憶されていない状態となる。
【００２８】
特に本実施の形態のように電源を換気扇本体２から供給するワイヤードリモコンでは、換気扇本体２とリモートコントローラ３の設置位置に従って電源線４、通信線５が長くなる傾向にあるため、リモートコントローラ制御回路３ａへ供給される直流電源２ａの電圧が低下しやすい。また、長い通信線５を介してノイズも入りやすく、換気扇制御回路２ｂよりもリモートコントローラ制御回路３ａの方がリセットしやすい。リセット回路３ｃによってリモートコントローラ３がリセットされると、上述したように記憶手段３ｂ内に記憶されている運転設定内容もリセット(消去)されてしまう。
【００２９】
次に、換気扇１の運転制御の流れについて、図３及び図４に示すフローチャートを利用して説明する。なお、図３は、リモートコントローラ３側の通信処理の流れを示すフローチャートであり、図４は、換気扇本体２側の通信処理の流れを示すフローチャートである。
【００３０】
本発明の実施の形態について、まずリモートコントローラ３のみがリセットされた場合の換気扇１の動作について説明する。この場合、リモートコントローラ３はリセットされているが、換気扇本体２はリセットされていない。従って、換気扇本体２の記憶手段２ｃ内にはその時の運転状態を示すデータ（運転状態コード）が記憶されている。
【００３１】
これまでは、リモートコントローラ３がリセットされてしまうと記憶手段３ｂ内の設定内容が初期値に戻ってしまい、この初期値として設定されている運転設定内容に基づいて、改めて換気扇本体２の運転制御が行われてしまっていた。そのため、直近の換気扇本体２の運転状態が生かされず、改めてリモートコントローラ３にて運転内容を設定をし直さなければならない等、使用者の利便性に欠けていた。
【００３２】
そこで、本実施形態においては、リモートコントローラ３のみがリセットされた場合、換気扇本体２の記憶手段２ｃ内に記憶されている直近の運転状態コードに基づいて運転が再開できるように換気扇１を制御する。
【００３３】
図３に示すように、まず、リモートコントローラ制御回路３ａは、換気扇制御回路２ｂへのデータ送信が１回目であるか否かが判断する（ＳＴ１）。これは、すなわち、リモートコントローラ３がリセットされたか否かの判断である。リセット後初めてのデータ送信である場合には（ＳＴ１のＹＥＳ）、リモートコントローラ制御回路３ａは、換気扇制御回路２ｂに対して情報要求コードを送信する（ＳＴ２）。
【００３４】
なお、リモートコントローラ３が電源遮断から復帰した際には、リセット回路３ｃによってリセットされた場合と同じ状態となるため、この場合の最初のデータ送信は、リセット後初めてのデータ送信である場合と同じでステップＳＴ１はＹＥＳとなる。
【００３５】
「情報要求コード」とは、リモートコントローラ３が換気扇本体２の記憶手段２ｃが記憶している直近の運転状態を示すコード（情報）を換気扇制御回路２ｂから送信してもらうことを要求するコードである。すなわち、これまでは、リモートコントローラ３がリセットされてしまうと、それまでの設定内容もリセットされて初期値になってしまい、その初期値に基づいて運転状態を再設定しなければならなかった。そこで、この情報要求コードを送信することによって、換気扇本体２の記憶手段２ｃが保持している直近の運転状態コードを取得し、記憶手段３ｂにその運転状態コードが示す運転状態を記憶させ、その運転状態コードに基づいて運転を継続する。
【００３６】
リモートコントローラ制御回路３ａによって送信された情報要求コードは、換気扇制御回路２ｂにおいて受信される（図４のＳＴ１１）。通常時は換気扇制御回路２ｂは、リモートコントローラ制御回路３ａから何らかのコードが送信されてくるまで待機している（ＳＴ１１のＮＯ）。
【００３７】
何らかのコードを受信した換気扇制御回路２ｂは（ＳＴ１１のＹＥＳ）、その受信したコードが情報要求コードであるか否かを判断する（ＳＴ１２）。その結果、情報要求コードであった場合（ＳＴ１２のＹＥＳ）、直近の運転状態コードとこの運転状態コードへの書き換えをリモートコントローラ制御回路３ａに要求する書換要求コードとを併せて送信する（ＳＴ１３）。送信後、換気扇制御回路２ｂは、次にリモートコントローラ制御回路３ａから何らかのコードが送信されてくるまで待機の状態となる（図４のＳＴ１１）。
【００３８】
ここで、換気扇制御回路２ｂからリモートコントローラ制御回路３ａに送信される「運転状態コード」とは、換気扇制御回路２ｂ内の記憶手段２ｃに記憶されている換気扇本体２の現在の運転状態を表すコードである。
【００３９】
また、この「書換要求コード」とは、換気扇本体２の運転状態コードに基づいてリモートコントローラ３の記憶手段３ｂ内に記憶されている運転状態コードを書き換えるよう要求するコードである。
【００４０】
図３に示すフローチャートに戻り、リモートコントローラ制御回路３ａが換気扇制御回路２ｂから何らかの信号（コード）を受信すると（ＳＴ３）、受信した信号が書換要求コードか否かを確認する（ＳＴ４）。ステップＳＴ４では、書換要求コードを受信するまでステップＳＴ３とステップＳＴ４を繰り返す。
【００４１】
書換要求コードを受信すると（ＳＴ４のＹＥＳ）、リモートコントローラ制御回路３ａは、記憶手段３ｂ内に記憶されている運転状態コードを換気扇制御回路２ｂから送信されてきた、現在の換気扇本体２の運転状態コードへと書き換える（ＳＴ５）。
【００４２】
続いて受け取った運転状態コードに対応した表示に表示部３ｈの２つのＬＥＤの点灯状態を切り替える（ＳＴ６）。すなわち、受信した運転状態コードが停止であった場合は、表示部３ｈの２つのＬＥＤは、ともに消灯し、運転状態コードが風量「標準」で運転中であれば、「標準」に対応するＬＥＤのみが点灯し、運転状態コードが風量「弱」の運転中であれば、「弱」に対応するＬＥＤのみが点灯する。なお、リセット後から運転状態コードを受信するまでは、短時間ではあるが、２つのＬＥＤは両方とも消灯した停止状態を表示することになる。この結果、リモートコントローラ３の表示部３ｈの表示内容と換気扇本体２の運転状態が一致する。
【００４３】
ステップ６の後、リモートコントローラ制御回路３ａは所定の時間が経過したか否かを判断する（ＳＴ７）。換気扇本体２とリモートコントローラ３との間では所定の時間ごとに通信を行う。この所定の時間は、例えば、２０秒である。この時間は自由に設定することができるが、できる限りすばやい応答を得るためにはなるべく短時間に設定することが望ましい。
【００４４】
所定の時間が経過するまで（ＳＴ７のＮＯ）は、その状態で待機する。所定の時間が経過すれば（ＳＴ６のＹＥＳ）、再度上述したステップ１へと戻り、リセット後及び電源投入の初回のデータ送信かどうかを確認する（ＳＴ１）。初回のデータ送信でなければ（ＳＴ１のＮＯ）、リモートコントローラ制御回路３ａは、記憶手段３ｂに記憶されている運転状態コードのみを換気扇制御回路２ｂへ送信し（ＳＴ８）、その後、ステップＳＴ７へ移行し、所定時間経過後に再び最初のステップＳＴ１へと戻る。
【００４５】
換気扇制御回路２ｂは、リモートコントローラ制御回路３ａから運転状態コードのみが送信されてきた場合には、情報要求コードが含まれていないので（ＳＴ１２のＮＯ）、リモートコントローラ制御回路３ａから受信した運転状態コードに基づく換気扇運転を実施する。ここで、現在の換気扇本体２の運転状態とリモートコントローラ制御回路３ａから受信した運転状態コードが一致していれば、換気扇本体２は、そのままの運転を継続する（ＳＴ１４）。
【００４６】
一方、前回のリモートコントローラ制御回路３ａからの運転状態コードの送信後に使用者が設定を変更した場合には、設定変更され記憶手段３ｂに記憶された新たな運転状態コードが換気扇本体２へと送信されてくる。換気扇本体２は、受信した新たな運転状態コードに対応した運転内容に動作を変更し、変更した運転状態を換気扇制御回路２ｂ内の記憶手段２ｃに現在の運転状態コードとして記憶する（ＳＴ１４）。
【００４７】
したがって、初回のデータ送信の場合以外は、所定時間毎にリモートコントローラ制御回路３ａが、記憶手段３ｂに記憶されている運転状態コードを換気扇制御回路２ｂへ送信し、換気扇本体２は、指示された運転状態コードに従った運転を行うことになる。その結果、途中で使用者の操作が変更された場合も、その変更内容に従った運転内容で換気扇本体２は運転がなされる。
【００４８】
初回のデータ送信の場合（ＳＴ１のＹＥＳ）は、換気扇制御回路２ｂから送られてきた運転状態コードがリモートコントローラ３の記憶手段３ｂに現在の換気扇本体２の運転状態を示す運転状態コードとして記憶される（ＳＴ５）。併せて表示内容も変更され（ＳＴ６）、所定時間経過後（ＳＴ７のＹＥＳ）にステップＳＴ１のＮｏを経由してステップＳＴ８で記憶手段３ｂに記憶されたこの運転状態コードが換気扇制御回路２ｂに送信される。この間に使用者の操作がなければ、初回のデータ送信で受信された換気扇制御回路２ｂからの運転状態コードとリモートコントローラ３の記憶手段３ｂに記憶されている運転状態コードは一致するため、換気扇本体２は、運転内容が変更されることなく、リモートコントローラ３がリセットする前の運転状態がそのまま維持され、運転が継続される。
【００４９】
なお、ステップＳＴ１４の後、リモートコントローラ制御回路３ａにおける換気扇制御回路２ｂの動作確認のために、換気扇制御回路２ｂは、リモートコントローラ制御回路３ａから受信した運転状態コード（換気扇制御回路２ｂ内の記憶手段２ｃに記憶した運転状態コードと一致する）を改めてリモートコントローラ制御回路３ａへ送信する（ＳＴ１５）。なお、図示しないが、リモートコントローラ制御回路３ａは、換気扇制御回路２ｂから送信されてきた運転状態コードと記憶手段３ｂに記憶された運転状態コードとが一致するか否かを判断し、一致すれば正常としてそのまま運転を継続し、不一致になると何らかの異常が発生していると判断して、運転を停止させる信号をリモートコントローラ制御回路３ａに送信する。
【００５０】
以上説明した運転制御の流れを採用することによって、リモートコントローラのみがリセットされた場合に、リモートコントローラの運転設定内容を換気扇本体の運転状態に一致させ、リセット後の運転内容の再設定を行わずとも換気扇本体の運転状態の維持を図り、利便性の向上を図ることのできる換気扇の制御方法及び換気扇を提供することができる。
【００５１】
次に、換気扇本体２及びリモートコントローラ３の両方が同時にリセットされた場合の換気扇１の制御動作について図３及び図４に示すフローチャートを用いて説明する。このような状態は商用電源Ｐの停電、通信線５に外部から強いノイズが進入した場合に発生する。なお、上述のリモートコントローラ３のみがリセットした場合と異なる点は、換気扇本体２からリモートコントローラ３へ送信される情報の内容のみである。
【００５２】
換気扇本体２、リモートコントローラ３のいずれもリセットされると、換気扇本体２の記憶手段２ｃ内及びリモートコントローラ３の記憶手段３ｂ内に記憶されていた運転状態コードもリセットされてしまい、いずれも初期状態に変更されている。
【００５３】
リモートコントローラ制御回路３ａは、リモートコントローラ３のみがリセットした場合と同様にリセット後１回目のデータ送信として（ＳＴ１のＹＥＳ）、換気扇制御回路２ｂに対して情報要求コードを送信する（ＳＴ２）。換気扇制御回路２ｂは、リモートコントローラ制御回路３ａからの情報要求コードを受信すると（ＳＴ１１及びＳＴ１２）、運転状態コード及び書換要求コードをリモートコントローラ制御回路３ａへ送信する（ＳＴ１３）。
【００５４】
ここで、換気扇制御回路２ｂからリモートコントローラ制御回路３ａへと送信される運転状態コードは、換気扇本体２の記憶手段２ｃ内に初期値として記憶されている運転状態コードであり、例えば、本実施の形態においては、「標準」運転に対応する運転状態コードである。
【００５５】
すでに説明した通り、リモートコントローラ３のみがリセットし、換気扇本体２はリセットされていない場合は、リモートコントローラ３がリセットされた直前の換気扇本体２の運転状態コードをリモートコントローラ制御回路３ａへと送信し、この運転状態コードに基づいて運転が再開される。
【００５６】
しかしながら、リモートコントローラ３のみならず換気扇本体２もリセットされてしまうと、換気扇本体２がリセットされる直前の運転状態を示すコードもリセットとともに消えてしまう。そこで、リモートコントローラ３及び換気扇本体２もリセットした場合には、記憶手段２ｃ内に予め記憶されている初期値の運転状態コードがリモートコントローラ制御回路３ａへと送信される。
【００５７】
換気扇本体２の記憶手段２ｃ内に予め記憶されていた運転状態コード（例えば、「標準」運転）と書換要求コードとを受信したリモートコントローラ制御回路３ａは、書換要求コードに基づいて記憶手段３ｂの運転状態コードの書き換えを行うとともに、書き換えられた運転状態コードに従った表示内容に変更を行う（ＳＴ３ないしＳＴ６）。
【００５８】
以上説明した運転制御の流れを採用することによって、リモートコントローラ３のみならず換気扇本体２もリセットされた場合であっても換気扇本体２に予め記憶されている初期値の運転状態コードを基に再度換気扇１の運転を開始することとしているので、利用者は改めて運転内容を設定する手間が省ける。
【００５９】
なお、換気扇本体２のみがリセットされた場合については、リモートコントローラ３は、動作を継続しているため、所定時間毎にリモートコントローラ３の記憶手段３ｂ内に記憶されている運転状態コードが換気扇制御回路２ｂに送信され（ＳＴ８）、換気扇制御回路２ｂは、この運転状態コードを記憶手段２ｃに記憶するとともに受信した運転状態コード基づいて運転が再開される（ＳＴ１４）。この場合も利用者は改めて運転内容を設定する手間が省ける。  
なお、この発明は、上記実施の形態そのままに限定されるものではなく、実施段階ではその要旨を逸脱しない範囲で構成要素を変形して具体化できる。例えば、上述した各実施形態においては、リモートコントローラは換気扇本体と直接接続されるワイヤードリモートコントローラを例に挙げて説明しているが、換気扇本体とリモートコントローラとの間で双方に信号のやり取りができるものであれば、リモートコントローラはワイヤレス式のものであっても構わない。
【００６０】
また、上記実施の形態に開示されている複数の構成要素を適宜組み合わせることにより種々の発明を形成できる。例えば、実施の形態に示される全構成要素から幾つかの構成要素を削除してもよい。更に、異なる実施の形態に亘る構成要素を適宜組み合わせてもよい。
【符号の説明】
【００６１】
１…換気扇、２…換気扇本体、２ａ…直流電源、２ｂ…制御回路、２ｃ…記憶手段、２ｄ…リセット回路、２ｅ…ファンモータ、３…リモートコントローラ、３ａ…制御回路、３ｂ…記憶手段、３ｃ…リセット回路、４…電源線、５…通信線、ＳＷ…接続端子、Ｐ…商用電源
【図１】
2011069544.tif 000003
【図２】
2011069544.tif 000004
【図３】
2011069544.tif 000005
【図４】
2011069544.tif 000006